(57)【要約】【課題】一体形成のしぼり器本体で大きな果物にも小さな果物にもすぐさま対応が可能であり、おろし器の機能も合わせもつことができる果汁しぼり器を提供する。【解決手段】上面が開口の上面開口２２を有し、底部果汁溜部１８を底部２３に備える凹部構造で構成され、底部２３の中央にはしぼり器１３が形成されている。材質は陶器，磁器またはプラスチックなどで、上面開口２２の周部は１８０度の間隔で２つの注ぎ口１１，１２が形成され、また、果汁しぼり器本体１のしぼり器収容壁１６はしぼり器１３を囲む構造であり、しぼった果汁が飛び散った場合、壁１６によってしぼり果汁を下方に導き、底部果汁溜部１８に溜められるように構成されている。【選択図】図３
0003178046.tif 000002
【実用新案登録請求の範囲】
【請求項１】
上面開口であって底部を有する凹部の略中央にしぼり器を有し、
前記しぼり器は、小さい径の第１のしぼり器の下部に、大きい径の第２のしぼり器を一体に形成し、
前記しぼり器で搾った果汁は前記しぼり器の周囲底部に溜めるように構成したことを特徴とする果汁しぼり器。
【請求項２】
前記果汁しぼり器は陶磁器またはプラスチックで一体成形し、
前記しぼり器の部分は所定の厚さで形成され、その縦断面は第２のしぼり器の上に第１のしぼり器が積み重なった形状であることを特徴とする請求項１記載の果汁しぼり器。
【請求項３】
前記しぼり器は、縦方向に所定間隔でひだ条のしぼり歯を複数有し、上面から見た場合、円形の周囲に所定間隔で突起部を備えたことを特徴とする請求項１または２記載の果汁しぼり器。
【請求項４】
前記上面開口の部分に１以上の注ぎ口を設けたことを特徴とする請求項１，２または３記載の果汁しぼり器。
【請求項５】
上面に多数の突起を有し、前記上面開口に被せて据え置き、野菜類を前記多数の突起ですりおろすおろし器を備えたことを特徴とする請求項１，２，３または４記載の果汁しぼり器。
【請求項６】
前記おろし器の多数の突起の配置および形状は、三角錐の突起をそれぞれ向きを特定することなく多数設けてなることを特徴とする請求項１，２，３，４または５記載の果汁しぼり器。
【請求項７】
うす板条のマットを備え、果汁しぼり器を使用していないとき、前記マットを前記上面開口の部分に据え置いたおろし器の上に被せ、前記おろし器の突起を保護することを特徴とする請求項１，２，３，４，５または６記載の果汁しぼり器。
【考案の詳細な説明】
【技術分野】
【０００１】
本考案は小さいフルーツを対象にする小さい径のしぼり器と、大きいフルーツを対象にする大きい径のしぼり器を一体に形成し、１つのしぼり器で大きさの異なるフルーツなどを搾ることができる果汁しぼり器、さらに果汁しぼり器本体に大根などをすりおろすおろし器も備えられている果汁しぼり器に関する。
【背景技術】
【０００２】
従来より、果物をしぼるためのしぼり器や野菜をおろすためのおろし器は種々の形状のものが提案されている。
現在、提案されているしぼり器，おろし器は例えば特許文献１〜５などの構造，機能をもつものである。
【０００３】
特許文献１の絞り器は、大きさの異なる果実をしぼることができる機能を持っているものであるが、小さい果実をしぼるには絞り部３で行い、大きい果実をしぼるには補助絞り部４を絞り部３の上に被せて用いるものである。
そのため、果実の大きさに合わせて絞り部を選ぶという手間が生じていた。また、大きな絞り部と小さな絞り部は別々の部材として形成されているため、保管の際には、何らかの理由で別々の場所に置かれる場合があり、いずれの大きさの果実でも直ぐさま対応するのに時間がかかると考えられる。
また、特許文献２は、グレープフルーツ等の大形な果実を搾ることを目的としているが、頭頂部が小径に鋭く形成された略円錐形状をもつため、いかなる種類・大きさの柑橘類に対しても切断面を適確に押し当てることができるとしている。しかしながら、レモン等の小形で小径の果実を搾る場合は、搾り部に深く押しつけることができず、完全に搾りきることができないことが考えられる。
特許文献３〜５のものはおろし器のみについて種々の形状を提案するもので、しぼり器には対応していない。
【先行技術文献】
【特許文献】
【０００４】
【特許文献１】実用新案登録第３０９７２１０号公報
【特許文献２】実用新案登録第３０３４３３２号公報
【特許文献３】特開２００７−２０９９１号公報
【特許文献４】特開２０１２−５０７１５号公報
【特許文献５】実開平６−４１６３８号公報
【考案の概要】
【考案が解決しようとする課題】
【０００５】
本考案は、上記状況に鑑みなしたもので、その目的は、大きな果物にも小さな果物にもすぐさま対応が可能な一体のしぼり器本体で、おろし器の機能も合わせもつことができる果汁しぼり器を提供することにある。
【課題を解決するための手段】
【０００６】
前記目的を達成するために本考案による請求項１記載の果汁しぼり器は、上面開口であって底部を有する凹部の略中央にしぼり器を有し、前記しぼり器は、小さい径の第１のしぼり器の下部に、大きい径の第２のしぼり器を一体に形成し、前記しぼり器で搾った果汁は前記しぼり器の周囲底部に溜めるように構成したことを特徴とする。
本考案の請求項２記載の果汁しぼり器は、請求項１記載の考案において、前記果汁しぼり器は陶磁器またはプラスチックで一体成形し、前記しぼり器の部分は所定の厚さで形成され、その縦断面は第２のしぼり器の上に第１のしぼり器が積み重なった形状であることを特徴とする。
本考案の請求項３記載の果汁しぼり器は、請求項１または２記載の考案において、前記しぼり器は、縦方向に所定間隔でひだ条のしぼり歯を複数有し、上面から見た場合、円形の周囲に所定間隔で突起部を備えたことを特徴とする。
本考案の請求項４記載の果汁しぼり器は、請求項１，２または３記載の考案において、前記上面開口の部分に１以上の注ぎ口を設けたことを特徴とする。
本考案の請求項５記載の果汁しぼり器は、請求項１，２，３または４記載の考案において、上面に多数の突起を有し、前記上面開口に被せて据え置き、野菜類を前記多数の突起ですりおろすおろし器を備えたことを特徴とする。
本考案の請求項６記載の果汁しぼり器は、請求項１，２，３，４または５記載の考案において、前記おろし器の多数の突起の配置および形状は、三角錐の突起をそれぞれ向きを特定することなく多数設けてなることを特徴とする。
本考案の請求項７記載の果汁しぼり器は、請求項１，２，３，４，５または６記載の考案において、うす板条のマットを備え、果汁しぼり器を使用していないとき、前記マットを前記上面開口の部分に据え置いたおろし器の上に被せ、前記おろし器の突起を保護することを特徴とする。
【考案の効果】
【０００７】
上記構成によれば、大きい果物および小さい果物いずれでも、果汁しぼり器本体のしぼり器の上から果物切落口を押しつけて左右に回転揺動させることにより、良好に果物からしぼり汁を得ることができる。小さい果物は上側の小しぼり器でしぼられ、大きい果物は上側の小さいしぼり器と下側の大きいしぼり器でしぼることができる。また、おろし器を、果汁しぼり器本体の上に据え置くことができるので、同時にこの果汁しぼり器本体をおろし器の収容容器として用いることができる。
【図面の簡単な説明】
【０００８】
【図１Ａ】本考案による果汁しぼり器の正面図である。
【図１Ｂ】本考案による果汁しぼり器の側面図である。
【図１Ｃ】本考案による果汁しぼり器の平面図である。
【図１Ｄ】本考案による果汁しぼり器の底面図である。
【図２】本考案による果汁しぼり器のＡ−Ａ断面図である。
【図３】本考案による果汁しぼり器を一部破断して示した斜視図である。
【図４】本考案による果汁しぼり器の使用状態を示す斜視図である。
【図５Ａ】本考案による果汁しぼり器に付属するおろし器の正面図である。
【図５Ｂ】本考案による果汁しぼり器に付属するおろし器の平面図である。
【図５Ｃ】本考案による果汁しぼり器に付属するおろし器の底面図である。
【図６】本考案による果汁しぼり器に付属するおろし器のＢ−Ｂ断面図である。
【図７】本考案による果汁しぼり器に付属するおろし器の斜視図である。
【図８】本考案による果汁しぼり器に付属するおろし器の使用状態を示す斜視図である。
【図９Ａ】本考案による果汁しぼり器に付属するマットの正面図である。
【図９Ｂ】本考案による果汁しぼり器に付属するマットの側面図（Ｉ）およびＣ−Ｃ断面図（II）である。
【考案を実施するための形態】
【０００９】
以下、図面を参照して本考案の実施の形態を詳しく説明する。
図１Ａ，図１Ｂ，図１Ｃおよび図１Ｄは、本考案による果汁しぼり器の正面図，側面図，平面図および底面図である。
果汁しぼり器本体１は、果物としてレモン，オレンジ，ネーブル，グレープフルーツなどをしぼることが可能である。
上面が開口の上面開口２２を有し、底部果汁溜部１８を底部２３に備える凹部構造で、ボール形状に近い形をして構成されている。底部２３の中央にはしぼり器１３が形成されている。
果汁しぼり器本体１は陶器または磁器によって作られている。プラスチックなどの材質を用いても同様の構成の果汁しぼり器本体１を形成することが可能である。
【００１０】
上面開口２２の周部は１８０度の間隔で２つの注ぎ口１１，１２が形成されている。注ぎ口が２か所設けられているため、注ぎ口の下に手を添えて持つことが可能である。また、果汁しぼり器本体１のしぼり器収容壁１６はしぼり器１３を囲む構造であり、しぼった果汁がしぼり器収容壁１６に飛び散った場合、壁１６によってしぼり果汁を下方に導く。しぼり器１３の周囲の底部は底部果汁溜部１８となっている。
しぼり器１３は下側に大きい果物をしぼる大きな径の大しぼり器１５が形成され、その上に小さい果物をしぼる小さい径の小しぼり器１４が一体に形成されている。
大しぼり器１５の周囲部分には等間隔でひだ条しぼり歯１５ａが上下方向に多数配列して構成されている。各ひだ条しぼり歯１５ａは突出している頂部１５ｂを持ち、この頂部１５ｂは陶器，磁器またはプラスチック材質であるため、鋭利に構成することができる。同様に小しぼり器１４の周囲部分には等間隔でひだ条しぼり歯１４ａが上下方向に多数配列して構成されている。各ひだ条しぼり歯１４ａは突出している頂部１４ｂを持ち、頂部１４ｂは陶器，磁器またはプラスチック材質であるため、鋭利に構成することができる。
【００１１】
図２は本考案による果汁しぼり器のＡ−Ａ断面図である。
しぼり器１３の裏側は空洞部１９になっており、各しぼり器１４，１５のひだ条しぼり歯１４ａ，１５ａが突出している。上からみた場合、基部１４ｃ，１５ｃは円形状で、肉厚は薄肉である。
しぼり器１３の周囲の底部は上述したようにしぼった果汁を溜める底部果汁溜部１８である。
【００１２】
図３は、本考案による果汁しぼり器を一部破断して示した斜視図、図４はその使用状態を示す斜視図である。
手２１に半分に切ったレモン２０を持ち、切断面を小しぼり器１４に押し当て、左または右方向に回転させながら押さえ込む動作を繰り返し行うことにより、果汁がしぼり出される。レモンは小径であるので、小しぼり器１４に食い込み、大しぼり器１５までは達しない。しかし、例えば、グレープフルーツのような大径の果物であれば、小しぼり器１４は勿論、大しぼり器１５の位置まで食い込み、同様に左または右方向に回転させながら押さえ込む動作を繰り返し行うことにより、果汁がしぼり出される。
【００１３】
図５Ａ，図５Ｂおよび図５Ｃは、本考案による果汁しぼり器に付属するおろし器の正面図，平面図および底面図である。
おろし器３０は皿形状で、果汁しぼり器本体１の上面開口２２に上から据え置けるように周囲に係合部３５が設けられている。
おろし器３０のおろし面３６中央部を中心に面状におろし部３２が形成されている。おろし部３２のおろし爪３３は、三角錐形状で、各爪は方向を定めることなく様々な方向に向いて多数植設されている。三角錐のおろし爪３３は磁器，陶器またはプラスチックの材質であるので鋭利に構成でき、大根などを一度に大量におろすことができる。各おろし爪３３の植設位置は、隣接するおろし爪に対し、さまざまの距離となっており、一定の距離に配置されていない。すなわちランダムに配置されている。
おろし部３２をこのように構成したのは、大根やその他の野菜をすりおろす場合、直線方向に前後にすりおろしても、大根などのおろし面を均等にけずることができるようにするためである。また、すりおろすための移動させる方向が円形であっても、同様に均等にけずることができる。
【００１４】
また、すりおろした野菜を落下させるためのおろし落下用孔３１ａ，３１ｂおよび３１ｃがそれぞれ１２０度間隔で設置されている。
おろし器３０の裏面には小おろし部３４が設置されている。小おろし部３４の小おろし爪３７は、おろし爪３３と同じ形状，配置であるが、三角錐の大きさが小さくなっている。この小おろし部３４はショウガやニンニク，ワサビなどをけずりおろすのに適している。
なお、この小おろし部３４は、おろし器３０を果汁しぼり器本体１の上面開口２２に据え置くことなく、テーブルやマット（図９Ａ，図９Ｂ参照）等の上に据え置いて用いる。
【００１５】
図６は、本考案による果汁しぼり器に付属するおろし器のＢ−Ｂ断面図である。
おろし面３６の上にはおろし部３２が、裏面には小おろし部３４がそれぞれ形成されている。
【００１６】
図７および図８は、本考案による果汁しぼり器に付属するおろし器の斜視図および使用状態を示す斜視図である。
図８に示すようにおろし器３０は果汁しぼり器本体１の上面開口２２に上から係合部３５を係合させることにより据え置き、手３９に大根３８を持って押さえつけ、すりおろすことができる。すりおろした大根はおろし落下用孔３１ａ，３１ｂ，３１ｃから落下させ、果汁しぼり器本体１の底部果汁溜部１８に溜めることができる。大根などをすりおろした際に出た余分な水分は、注ぎ口１１，１２より捨てることができる。
底部果汁溜部１８に溜められた大根おろしやしぼり器１３でしぼった果汁は、ボール形状のしぼり器本体ごと、そのまま食卓に出すことができる。
【００１７】
図９Ａおよび図９Ｂは、本考案による果汁しぼり器に付属するマットの正面図および側面図（Ｉ），Ｃ−Ｃ断面図（II）である。
薄い円形状のマット４０は果汁しぼり器に付属するもので、果汁しぼり器を使用していないとき、果汁しぼり器に据え置いたおろし器３０の上に覆い被せ、おろし器３０のおろし部３２の鋭利なおろし爪３３が保管時にむきだしにならないようにして、他の食器などを載せたとき爪の摩耗を防ぐことができる。マットは、例えばシリコーンで構成されており、他の使用方法として果汁しぼり器をテーブルの上に置いてしぼる動作，おろす動作をするときのすべり止め、または鍋などの敷物として用いることができる。また、果汁しぼり器本体１におろし器３０を重ねた上にマット４０を置き、そのマット４０の上に食器などを載せることが可能なので、保管をする場合に省スペースになる。さらに、固いビンの蓋を開けるときの手のすべり止めとして用いることもできる。
【００１８】
上記実施の形態では上面開口の周囲に設けられる注ぎ口は２個の例を示したが、１個でもよく、さらに３個以上設けてもよい。また、マットはシリコーンではなく、ゴム性であってもよい。さらにおろし器の爪形状を三角錐としているが、上部に尖っている突起であれば、三角錐である必要はない。
【産業上の利用可能性】
【００１９】
小さい径および大きい径の果実のしぼり器として対応でき、さらにおろし器としても使うことができる果汁しぼり器である。
【符号の説明】
【００２０】
１  果汁しぼり器本体
１１，１２  注ぎ口
１３  しぼり器
１４  小しぼり器
１５  大しぼり器
１４ａ，１５ａ  ひだ条しぼり歯
１４ｂ，１５ｂ  ひだ頂部
１６  しぼり器収容壁
１７  底面
１８  底部果汁溜部
１９  空洞部
２０  レモン
２１  手
２２  上面開口
２３  底部
３０  おろし器
３１ａ，３１ｂ，３１ｃ  おろし落下用孔
３２  おろし部
３３  おろし爪
３４  小おろし部
３５  係合部
３６  おろし面
３７  小おろし爪
３８  大根
３９  手
４０  マット
【図１Ａ】
0003178046.tif 000003
【図１Ｂ】
0003178046.tif 000004
【図１Ｃ】
0003178046.tif 000005
【図１Ｄ】
0003178046.tif 000006
【図２】
0003178046.tif 000007
【図３】
0003178046.tif 000008
【図４】
0003178046.tif 000009
【図５Ａ】
0003178046.tif 000010
【図５Ｂ】
0003178046.tif 000011
【図５Ｃ】
0003178046.tif 000012
【図６】
0003178046.tif 000013
【図７】
0003178046.tif 000014
【図８】
0003178046.tif 000015
【図９Ａ】
0003178046.tif 000016
【図９Ｂ】
0003178046.tif 000017